(57)【要約】【要  約】【課  題】    熱交換器が略ハの字状に配置され、この熱交換器の下方に、中央部に空気吸込口が形成されたドレンパンが配置されている空気調和装置において、熱交換器の中段位置付近から露が落下しても、この露をドレンパンに収容する。【解決手段】  空気調和装置は、略ハの字状に設けられた熱交換器（１１）と、熱交換器の下方に配置されているとともに中央部に空気吸込口（３２）が形成されているドレンパン（３１）と、前記空気吸込口の縁部付近から熱交換器に沿って階段状に配置され、熱交換器から落下するドレンを受け止めてドレンパンに案内する複数の案内板（３６）と、案内板の端部付近を保持する案内板保持部材（４２）とを備えており、案内板保持部材の下端部が、ドレンパンを取り付けるための熱交換器のドレンパン取付部（２６）の上側に載置される。【選択図】  図３
2006138533.tif 000002
【特許請求の範囲】
【請求項１】
略ハの字状に設けられた熱交換器と、
この熱交換器の下方に配置されているとともに、中央部に空気吸込口が形成されているドレンパンと、
このドレンパンの空気吸込口の縁部付近から、熱交換器に沿って階段状に配置され、熱交換器から空気吸込口に向かって落下するドレンを受け止めてドレンパンに案内する略ハの字状に配列された複数の案内板と、
この案内板の長手方向の各端部付近を保持して案内板同士を連結して一体化する案内板保持部材とを備えた空気調和装置であって、
前記ドレンパンには熱交換器に取り付けるための取付用固定部が空気吸込口に向かって張り出して形成されており、
前記熱交換器の側板にはドレンパン取付部が内側に向かって張り出して形成され、このドレンパン取付部にドレンパンの取付用固定部が固定され、
前記案内板保持部材の下端部が熱交換器のドレンパン取付部またはドレンパンの取付用固定部の上側に載置されることを特徴とする空気調和装置。
【請求項２】
前記各案内板保持部材の下部には下側に突出する脚部が形成され、
この脚部が熱交換器のドレンパン取付部またはドレンパンの取付用固定部の上側に載置されることを特徴とする請求項１記載の空気調和装置。
【請求項３】
前記案内板は、受け止めたドレンがドレンパンに流れるように、内側から外側に向かって下側となるように傾斜し、
かつ、前記案内板の上側の長辺には、立上部が形成されていることを特徴とする請求項１または２記載の空気調和装置。
【請求項４】
前記案内板は、長手方向の中央部を頂点として、両側に向かって下側となるように傾斜していることを特徴とする請求項１，２または３記載の空気調和装置。
【発明の詳細な説明】
【技術分野】
【０００１】
本発明は、略ハの字状に設けられた熱交換器と、この熱交換器の下方に配置されているとともに中央部に空気吸込口が形成されているドレンパンとを備えた空気調和装置に関する。
【背景技術】
【０００２】
従来、この種の空気調和装置（たとえば、特許文献１など参照）では、熱交換器が略ハの字状に配置されている。そして、この熱交換器の下部から滴下する露（すなわちドレン）を受ける様に、熱交換器の下方にドレンパンが配置されている。このドレンパンの中央部には、熱交換器への空気が吸い込まれる空気吸込口が形成されている。
【特許文献１】特開平５−１０５４７号公報
【発明の開示】
【発明が解決しようとする課題】
【０００３】
ところで、この様な空気調和装置では、熱交換器の上部で生じた露は、熱交換器の冷媒配管や熱交換フィンなどを伝って下方に移動し、熱交換器の下端部付近からドレンパンに落下する。
【０００４】
しかしながら、空気調和装置の設置状態（たとえば、空気調和装置が微妙に傾いて設置されている場合など）によっては、熱交換器の中段位置付近から露が直接落下することがある。
また、熱交換器の中段位置や上段位置の冷媒配管内の冷媒が完全に蒸発して乾燥状態となり、その周囲の熱交換フィンの部分に濡れがなくなって乾燥し、それより上側で生じた露が熱交換フィンの乾燥した部分を円滑に伝ってこれず、濡れた部分と乾燥した部分との境目付近から、露が落下することがある。
そして、この様にして、熱交換器の中段位置付近から露が落下すると、ドレンパンには落ちず、空気吸込口から下方に落下することがある。
【０００５】
解決しようとする問題点は、熱交換器が略ハの字状に配置され、この熱交換器の下方に、中央部に空気吸込口が形成されたドレンパンが配置されている空気調和装置において、熱交換器の中段位置付近から露が落下すると、ドレンパンには落ちず、空気吸込口から下方に落下することがある点である。また、熱交換器から落ちてくる露が、空気吸込口から下方に落ちないように、落ちてくる露をドレンパンへ案内する案内部材などを設けた際に、部品点数が増大したり、取付作業に時間が掛かったりすることがある点である。
【課題を解決するための手段】
【０００６】
本発明の空気調和装置は、略ハの字状に設けられた熱交換器（１１）と、この熱交換器の下方に配置されているとともに中央部に空気吸込口（３２）が形成されているドレンパン（３１）と、このドレンパンの空気吸込口の縁部付近から熱交換器に沿って階段状に配置され、熱交換器から空気吸込口に向かって落下するドレンを受け止めてドレンパンに案内する略ハの字状に配列された複数の案内板（３６）と、この案内板の長手方向の各端部付近を保持して案内板同士を連結して一体化する案内板保持部材（４２）とを備えている。そして、ドレンパンには熱交換器に取り付けるための取付用固定部（３３）が空気吸込口に向かって張り出して形成されており、熱交換器の側板（２４）にはドレンパン取付部（２６）が内側に向かって張り出して形成され、このドレンパン取付部にドレンパンの取付用固定部が固定され、案内板保持部材の下端部が熱交換器のドレンパン取付部またはドレンパンの取付用固定部の上側に載置される。
【０００７】
また、各案内板保持部材の下部には下側に突出する脚部（４３）が形成され、この脚部が熱交換器のドレンパン取付部またはドレンパンの取付用固定部の上側に載置されることがある。
【０００８】
さらに、案内板は受け止めたドレンがドレンパンに流れるように内側から外側に向かって下側となるように傾斜し、かつ、案内板の上側の長辺には立上部（４１）が形成されていることがある。
そして、案内板は、長手方向の中央部を頂点として、両側に向かって下側となるように傾斜していることがある。
【発明の効果】
【０００９】
本発明によれば、複数の案内板が略ハの字状に配列されて、ドレンパンの空気吸込口の縁部付近から熱交換器に沿って階段状に配置され、熱交換器から空気吸込口に向かって落下するドレンを受け止めてドレンパンに案内しているので、熱交換器の中段位置付近から露が落下しても、案内板に案内されてドレンパンに落ちることができる。この複数の案内板は、その長手方向の各端部付近を案内板保持部材で保持され、この案内板保持部材で案内板同士が連結されて一体化しており、部品点数や取付作業時間などの増大を極力防止することができる。しかも、案内板および案内板保持部材が一体化して構成される案内板部品は、ドレンパンを取り付けるための部材であるドレンパン取付部または取付用固定部の上側に案内板保持部材の下端部が載置されることにより、組み付けられており、案内板部品を取り付けるための専用の部品を別途設ける必要がない。
【００１０】
また、案内板保持部材の下部には下側に突出する脚部が形成されている場合がある。この場合には、略ハの字状の熱交換器に嵌め込む作業が容易になる。
【００１１】
さらに、案内板は受け止めたドレンがドレンパンに流れるように内側から外側に向かって下側となるように傾斜し、かつ、案内板の上側の長辺には立上部が形成されている場合がある。この場合には、案内板に落下したドレンが案内板上で跳ね上がっても、案内板の上側の縁からドレンパンの空気吸込口へ落下することを極力防止することができる。
【００１２】
そして、案内板は、長手方向の中央部を頂点として、両側に向かって下側となるように傾斜している場合には、空気の流れの妨げにならないように、短辺方向の傾きを小さくしても、長手方向にも傾斜しているため、案内板上のドレンを円滑に流してドレンパンに案内することができるとともに、風量の大きな中央部ではなく、風量の比較的少ない両側で、ドレンは案内板上を流れるとともに、案内板から下方の案内板またはドレンパンに落下することができ、落下するドレンが空気の流れの中に舞い上がることを極力防止することができる。
【発明を実施するための最良の形態】
【００１３】
熱交換器が略ハの字状に配置され、この熱交換器の下方に、中央部に空気吸込口が形成されたドレンパンが配置されている空気調和装置において、熱交換器の中段位置付近から露が落下しても、ドレンパンに収容するという目的を、複数の案内板を略ハの字状に配列し、ドレンパンの空気吸込口の縁部付近から熱交換器に沿って階段状に配置することで実現した。
また、熱交換器から落ちてくる露が、空気吸込口から下方に落ちないように、落ちてくる露をドレンパンへ案内する案内部材などを設けた際に、部品点数が増大したり、取付作業に時間が掛かったりすることを防止するという目的を、複数の案内板を、その長手方向の各端部付近で案内板保持部材により保持し、この案内板保持部材で案内板同士を連結して一体化することで実現した。
【実施例１】
【００１４】
次に、本発明における空気調和装置の一実施例について、図１ないし図５を用いて説明する。図１は本発明における空気調和装置の室内機の斜視図である。図２は空気調和装置の室内機本体の組み立て分解斜視図である。図３は空気調和装置の概略の断面図である。図４は案内板保持部材の正面図である。図５は案内板の説明図で、（ａ）が平面図、（ｂ）が（ａ）の b-b断面図である。なお、図３において、案内板の配置が分かり易いように、前側熱交換部はその一部が切り欠かれて図示されているとともに、グリル枠の図示が省略されている。また、図４において、熱交換器のドレンパン取付部およびドレンパンの取付用固定部が参考のため図示されている。
【００１５】
図１において、天井埋込型の空気調和装置の室内機本体１は天井内に吊り下げられて設置されている。この室内機本体１の外郭である筐体２は下面が開口している。そして、室内機本体１の下端に、吸込口３、前側吹出口４および後側吹出口５を具備するグリル枠６が取り付けられる。
【００１６】
また、図２および図３において、室内機本体１の筐体２の内部には、略ハの字状に配置された熱交換器１１および、送風機であるクロスフローファン１２が設けられている。そして、クロスフローファン１２は、略ハの字状の熱交換器１１を挟んで一対設けられ、ファンモータ１３で回転駆動される。
【００１７】
熱交換器１１は、略ハの字状に配置された前側熱交換部１６および後側熱交換部１７を具備している。各熱交換部１６，１７は、従来のものと同様に、左右に各々管板２１を具備しており、この両管板２１間に熱交換フィン２２が複数設けられているとともに、冷媒配管２３が両管板２１および熱交換フィン２２を貫通しながら蛇行して配管されている。また、前側熱交換部１６の管板２１と後側熱交換部１７の管板２１とは、略三角形状の側板２４で連結されている。熱交換器１１の左右の側板２４の下端には各々、ドレンパン取付部２６が内側に向かって略水平に張り出して形成されている。このドレンパン取付部２６にはネジ孔２７が形成されている。
【００１８】
そして、熱交換器１１からのドレンを受けるドレンパン３１が熱交換器１１の下方に設けられている。このドレンパン３１は、平面図示で略長方形をしているとともに、中央部に略長方形の空気吸込口３２が形成されている。ドレンパン３１の空気吸込口３２の短辺側の縁部には各々、内側（空気吸込口３２側）に向かって取付用固定部３３が略水平に張り出して形成されており、この取付用固定部３３が熱交換器１１のドレンパン取付部２６にビス止めなどで固定される。また、ドレンパン３１の下側に、前述のグリル枠６が取り付けられる。
【００１９】
熱交換器１１とドレンパン３１との間には、複数の案内板３６および空気清浄フィルター３７が設けられている。案内板３６は樹脂製で、ドレンパン３１の空気吸込口３２の縁部付近から、熱交換器１１の各熱交換部１６，１７に沿って階段状に間隔を有して複数枚（この実施例では、前後に各々３枚づつ）設けられ、略ハの字状に配列される。各案内板３６は、ドレンをドレンパン３１に案内するように、内側から外側に向かって下がるように（すなわち、前側の案内板３６は前下りに、また、後側の案内板３６は後下がりに）傾斜している。また、図４に図示するように、案内板３６の上側の長辺は、上側に折れ曲がり、立上部４１が形成されている。そして、樹脂製の案内板保持部材４２が、案内板３６の長手方向の各端部付近を保持して案内板３６同士を連結して一体化している。この案内板保持部材４２は板状をしているとともに、下部に脚部４３が設けられ、この脚部４３の下端は略直角に折れ曲がり、略水平に張り出す張出部４４が形成されている。空気調和装置が設置された状態では、この脚部４３の張出部４４は、熱交換器１１のドレンパン取付部２６上に載置される。また、案内板３６の長手方向の中央部同士は、樹脂製の中央保持板４６で連結されている。
【００２０】
空気清浄フィルター３７は、山型のフィルター枠４７に取り付けられて、案内板３６の内側に略ハの字状に配置される。また、フィルター枠４７は、その脚部がドレンパン３１の空気吸込口３２の縁部に取り付けられて、支持される。
【００２１】
そして、案内板３６は、空気清浄フィルター３７、フィルター枠４７および熱交換器１１に接触しないように構成されている。
【００２２】
この様に構成されている空気調和装置のクロスフローファン１２が稼働すると、グリル枠６の吸込口３から空気が吸い込まれ、ドレンパン３１の空気吸込口３２を通って、室内機本体１の内部空間に流れ込む。そして、流れ込んだ空気は、空気清浄フィルター３７や案内板３６の間の隙間を通り、図示しない室外機からの冷媒が流れる熱交換器１１で熱交換されて、グリル枠６の吹出口４，５から下方に吹き出している。
【００２３】
そして、熱交換器１１で発生した露（すなわち、ドレン）は、熱交換フィン２２や冷媒配管２３を伝って下方に移動し、熱交換器１１の下端部付近からドレンパン３１に落下する。そして、このドレンパン３１から室内機の外部に排水される。ところで、種々の要因で、熱交換器１１の下端部付近よりも上方（特に、中段位置付近）でドレンが落下することがある。この様なドレンは、図３で破線の矢印で図示されているように、案内板３６上に落下し、案内板３６に案内されてドレンパン３１の方向へ導かれて落下する。したがって、ドレンパン３１の空気吸込口３２から、ドレンが下方に落下することを極力防止することができる。
【００２４】
前述の様に、上記実施の形態においては、複数の案内板３６を一体に連結する案内板保持部材４２には脚部４３が設けられ、この案内板保持部材４２の下端部である脚部４３が、空気調和装置の室内機本体１が組み立てられた状態では、熱交換器１１の側板２４のドレンパン取付部２６の上側に載置される。この室内機本体１の組み立ては、図２において、上下反転した状態で行われ、逆ハの字状の熱交換器１１の上側に開口した部分から、案内板３６と案内板保持部材４２とが一体に形成された案内板部品を、熱交換器１１の内部空間に嵌め込み、その上側から、フィルター枠４７が装着されたドレンパン３１を取り付ける。ドレンパン３１と熱交換器１１の固定は、熱交換器１１のドレンパン取付部２６にドレンパン３１の取付用固定部３３をビス止めすることにより行われる。そして、ドレンパン３１が熱交換器１１に取り付けられて室内機本体１が組み立てられると、室内機本体１は上下反転され、図３に図示する状態となり、案内板保持部材４２の脚部４３が、図４に図示する様に、熱交換器１１のドレンパン取付部２６上に載置される。したがって、案内板部品は、単に、熱交換器１１の内部空間に嵌め込むだけで済み、取付作業が極めて簡単である。しかも、熱交換器１１のドレンパン取付部２６を利用しており、案内板部品を取り付けるために、専用の部品などを別途設ける必要も無くなる。
【００２５】
ところで、案内板３６に落下したドレンをドレンパン３１に円滑に流すために、図３に図示するように、案内板３６は内側から外側に向かって少し（たとえば、約１５度）傾斜している。この案内板３６の傾斜角度（すなわち、水平面とのなす角度）を大きくすると、ドレンを円滑にドレンパン３１に向かって流すことができるが、空気の流れの妨げになる。そこで、案内板３６の前後方向（図３においては左右方向）に傾斜させるだけでなく、図５に図示するように、案内板３６の中央部から長手方向に端部に向かって下がるように傾斜させることにより、ドレンが案内板３６上を円滑に流れるようにしている。また、この様にドレンを案内板３６の中央部から端部に向かって長手方向に流すと、風量の大きな中央部ではなく、風量の比較的少ない両側で、ドレンは案内板３６上を流れるとともに、案内板３６から下方の案内板３６またはドレンパン３１に落下することができ、落下するドレンが空気の流れの中に舞い上がることを極力防止することができる。
【００２６】
また、図４に図示するように、案内板３６の上側の長辺には、立上部４１が細長く形成されており、熱交換器１１から案内板３６に落下したドレンが、案内板３６上で跳ね上がっても、案内板３６の上側の縁からドレンパン３１の空気吸込口３２へ落下することを極力防止することができる。
【００２７】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）案内板３６や案内板保持部材４２などの材質は適宜変更可能である。
（２）送風機は、クロスフローファンであることが好ましいが、他の形式の送風機であることも可能である。
【００２８】
（３）案内板保持部材４２に脚部４３および張出部４４を設けることが好ましいが、必ずしも設ける必要はない。
（４）案内板３６は、前後に各々３段設けられているが、その段数は適宜変更可能である。
【００２９】
（５）案内板保持部材４２の脚部４３は、熱交換器１１のドレンパン取付部２６上に載置されているが、ドレンパン３１の取付用固定部３３上に載置（すなわち、脚部４３の張出部４４を熱交換器１１のドレンパン取付部２６とドレンパン３１の取付用固定部３３で挟む状態に）することも可能である。ただし、取付作業が簡単となるように、熱交換器１１のドレンパン取付部２６上に載置することが好ましい。
【産業上の利用可能性】
【００３０】
複数の案内板を略ハの字状に配列し、ドレンパンの空気吸込口の縁部付近から熱交換器に沿って階段状に配置して、斜めに配置された熱交換器の中段位置付近から露が落下しても、ドレンパンに収容するようにしている。したがって、熱交換器が略ハの字状に配置され、この熱交換器の下方に、中央部に空気吸込口が形成されたドレンパンが配置されている空気調和装置に適用することが最適である。
【図面の簡単な説明】
【００３１】
【図１】図１は本発明における空気調和装置の室内機の斜視図である。
【図２】図２は空気調和装置の室内機本体の組み立て分解斜視図である。
【図３】図３は空気調和装置の概略の断面図である。
【図４】図４は案内板保持部材の正面図である。
【図５】図５は案内板の説明図で、（ａ）が平面図、（ｂ）が（ａ）の b-b断面図である。
【符号の説明】
【００３２】
１１  熱交換器
２４  熱交換器の側板
２６  熱交換器のドレンパン取付部
３１  ドレンパン
３２  ドレンパンの空気吸込口
３３  ドレンパンの取付用固定部
３６  案内板
４１  案内板の立上部
４２  案内板保持部材
４３  案内板保持部材の脚部
【図１】
2006138533.tif 000003
【図２】
2006138533.tif 000004
【図３】
2006138533.tif 000005
【図４】
2006138533.tif 000006
【図５】
2006138533.tif 000007